(57)【要約】【課題】くるぶし部分の関節の動きを妨げることなく、足裏のアーチを挙上することができる関節用サポーターの提供。【解決手段】サポーター装着時、足の前後後方には伸縮性を有するものの、それと直交する方向には実質的に伸縮性を有しない帯状生地部材が、内くるぶしから少なくとも土踏まずの一部を経て外くるぶしまで通過するように配置されていることを特徴とする足関節用サポーター。【選択図】図１
2014051759.tif 000002
【特許請求の範囲】
【請求項１】
サポーター装着時、足の前後方向には伸縮性を有するものの、それと直交する方向には実質的に伸縮性を有しない帯状生地部材が、内くるぶしから少なくとも土踏まずの一部を経て外くるぶしまで通過するように配置されていることを特徴とする足関節用サポーター。
【請求項２】
前記帯状生地部材が、垂直方向には伸縮性を有するものの、水平方向には実質的に伸縮性を有しない生地から蹄鉄状に切り出して得られた蹄鉄状生地部材であることを特徴とする請求項１記載の足関節用サポーター。
【請求項３】
前記蹄鉄状生地部材が、土踏まず側に巾広部を備えていることを特徴とする請求項２記載の足関節用サポーター。
【請求項４】
前記帯状生地部材が、垂直方向には伸縮性を有するものの、水平方向には実質的に伸縮性を有しない生地から横長ベルト状に切り出して得られたベルト状生地部材であることを特徴とする請求項１記載の足関節用サポーター。
【請求項５】
前記ベルト状生地部材が、土踏まず側に巾広部を備えていることを特徴とする請求項４記載の足関節用サポーター。
【発明の詳細な説明】
【技術分野】
【０００１】
本発明は、足関節用サポーター、更に詳細にはくるぶし部分の関節の動きを妨げることなく、足裏のアーチを挙上することができる足関節用サポーターに関する。
【背景技術】
【０００２】
足裏のアーチ挙上を目的としたサポーターとしては、例えば特許文献１に示されているように、土踏まず部を横切る領域と踵骨上方を横切る領域とを結ぶ、一連の領域を高弾性領域とし、それ以外の領域を低弾性領域としたサポーター（靴下）が既に知られている。
しかしながら、当該サポーター（靴下）における高弾性領域は、縦・横何れの方向にも実質的に伸縮性を有せず、むしろ他領域より高い緊締力を発揮するものであるため、足首に過度の緊締力が加わる結果、くるぶし部分の関節の動きが妨げられ、特に長時間装着した場合には、足首部分に傷みすら感じさせる、と云う問題があった。
【先行技術文献】
【特許文献】
【０００３】
【特許文献１】特開２００６−２２５８３３号公報
【発明の概要】
【発明が解決しようとする課題】
【０００４】
本発明は、上記の如き従来の問題に鑑みてなされたもので、くるぶし部分の関節の動きを妨げることなく、足裏のアーチを挙上することができる足関節用サポーターを提供することを課題としている。
【課題を解決するための手段】
【０００５】
本発明者は、上記の課題を解決すべく、種々検討を重ねた結果、一方向には伸縮するものの、それと直交する方向には伸縮しない生地から切り出して得た帯状生地部材を用い、足の前後方向には伸縮し、それと直交する方向には伸縮しない位置に配置してサポーターを形成すれば、極めて良い結果が得られることを見い出し、本発明を完成した。
【０００６】
すなわち、本発明は、サポーター装着時、足の前後方向には伸縮性を有するものの、それと直交する方向には伸縮性を有しない帯状生地部材が、内くるぶしから少なくとも土踏まずの一部を経て外くるぶしまで通過するように配置されていることを特徴とする足関節用サポーターにより上記課題を解決したものである。
【発明の効果】
【０００７】
本発明サポーターは、その装着時、帯状生地部材が足の前後方向に伸縮するので、足首が過度に圧迫されることがなく、就中足首の底背屈方向の動きが過度に制限されることがない結果、くるぶし部分の関節の動きに実質上支障はなく、長時間装着しても足首部分に痛みが生じることはない。
一方、当該帯状生地部材は足の前後方向とは直交する方向、換言すれば垂直方向には伸縮しないので、足裏のアーチが的確に挙上される結果、歩行や運動時の足の疲れがより軽減される。
【図面の簡単な説明】
【０００８】
【図１】本発明足関節用サポーターの内方斜視説明図。
【図２】本発明足関節用サポーターの外方斜視説明図。
【図３】本発明足関節用サポーターの後方斜視説明図。
【図４】蹄鉄状生地部材の切り出し例を示す平面説明図。
【図５】ベルト状生地部材の切り出し例を示す平面説明図。
【発明を実施するための形態】
【０００９】
以下本発明の実施の形態を図面と共に説明する。
【００１０】
図１〜図３において、１０はサポーター本体で、全体が縦・横方向に伸縮性を有している。このサポーター本体１０の形態は、図１〜図３に示したようなＬ字筒状のクローズドタイプ、あるいは前正面部又は後背面部において面ファスナーにより開閉自在に重ね合せ止着されるオープンタイプの如何を問わない。また、サポーター本体１０の素材も伸縮性を付与し得るものであれば、特に限定されない。尚、本発明における「サポーター」には「運動用サポーター」のみならず、「靴下」も含まれる。
【００１１】
２０は帯状生地部材で、サポーター本体１０において、内くるぶしから少なくとも土踏まずの一部を経て外くるぶしを通過するように配置されており、サポーター本体１０の装着時、足の前後方向には伸縮性を有する（低弾性）ものの、それと直交する方向、換言すれば垂直方向には実質的に伸縮性を有しない（高弾性）ようになっている。尚、帯状生地部材２０は、少なくとも土踏まずの一部を経ていれば足りるため、土踏まずを含む足裏全体を覆う巾広の態様で、外くるぶしを通過せしめて配置したものであっても良い。
【００１２】
斯かる帯状生地部材２０としては、図４に示すような蹄鉄状生地部材２１や図５に示すようなベルト状生地部材２２が好適に用いられるが、土踏まずから両くるぶしへの配置の容易性と、効率の良い足裏のアーチ挙上作用を得る上で、蹄鉄状生地部材２１を用いるのがより望ましい。
【００１３】
上記蹄鉄状生地部材２１は、例えば図４（１）に示すように、正面視において垂直方向には伸縮性を有する（低弾性）ものの、水平方向には実質的に伸縮性を有しない（高弾性）生地Ｐから蹄鉄状に切り出して得ることができる。
この蹄鉄状生地部材２１の巾寸法としては、１〜１５cm、特に２〜８cm程度のものが好ましく、また全体が同一の巾であっても良いが、図４（２）に示すように、土踏まず側に巾広部２１ａを備えたものが、土踏まずとの接触面積が増え、足裏のアーチ挙上作用をより高めることができるので望ましい。
【００１４】
また、上記ベルト状生地部材２２は、例えば図５（１）に示すように、正面視において垂直方向には伸縮性を有する（低弾性）ものの、水平方向には実質的に伸縮性を有しない（高弾性）生地Ｐから横長ベルト状に切り出して得ることができる。
このベルト状生地部材２２の巾寸法も蹄鉄状生地部材２１と同様、１〜１５cm、特に２〜８cm程度のものが好ましく、また図５（２）に示すように、土踏まず側に巾広部２２ａを備えたものが望ましいことも蹄鉄状生地部材２１と同様である。
【００１５】
上記の蹄鉄状生地部材２１は、その湾曲生地部分に土踏まずが当接し、その両側のストレート生地部分がそれぞれ内くるぶしと外くるぶしに当接するように、サポーター本体１０に配置されている。この蹄鉄状生地部材２１の配置は、蹄鉄状生地部材２１の配置部位が欠落したサポーター本体１０に、蹄鉄状生地部材２１を縫合等により嵌合配置したものでも、欠落部の存在しないサポーター本体１０の内側又は外側に縫合等により重ね合せ配置したものであっても良い。
【００１６】
上記のベルト状生地部材２２は、その中央生地部分に土踏まずが当接し、その両側の生地部分がそれぞれ内くるぶしと外くるぶしに当接するように、サポーター本体１０に配置され、またその配置方法としては、蹄鉄状生地部材２１と同様、縫合等による嵌合配置や重ね合せ配置が適宜採用される。
【符号の説明】
【００１７】
１０：サポーター本体
２０：帯状生地部材
２１：蹄鉄状生地部材
２１ａ：巾広部
２２：ベルト状生地部材
２２ａ：巾広部
Ｐ：生地
【図１】
2014051759.tif 000003
【図２】
2014051759.tif 000004
【図３】
2014051759.tif 000005
【図４】
2014051759.tif 000006
【図５】
2014051759.tif 000007